(57)【要約】【課題】相手コネクタとの嵌合状態の解除を抑制するコネクタを提供すること。【解決手段】実施形態の一態様に係るコネクタは、絶縁性のハウジングと、ハウジングの一方方向を配列方向としてハウジングに配列された複数の導電性のコンタクトと、一方方向におけるハウジングの両端に配置される一対の金属部材と、を有し、相手コネクタと嵌合するコネクタであって、一対の金属部材のそれぞれは、相手コネクタの対応する端部に一方方向で対向し、対応する端部と一方方向で係合する第１の係合部と、相手コネクタの対応する端部に他方方向で対向し、対応する端部と他方方向で係合する第２の係合部と、を備える。【選択図】図７
2019114355.tif 000002
【特許請求の範囲】
【請求項１】
絶縁性のハウジングと、前記ハウジングの一方方向を配列方向として前記ハウジングに配列された複数の導電性のコンタクトと、前記一方方向における前記ハウジングの両端に配置される一対の金属部材と、を有し、相手コネクタと嵌合するコネクタであって、
前記一対の金属部材のそれぞれは、
前記相手コネクタの対応する端部に前記一方方向で対向し、前記対応する端部と前記一方方向で係合する第１の係合部と、
前記相手コネクタの対応する端部に他方方向で対向し、前記対応する端部と前記他方方向で係合する第２の係合部と、を備える
ことを特徴とするコネクタ。
【請求項２】
前記第１の係合部および前記第２の係合部は、
前記コネクタに対する前記相手コネクタの抜去方向において、前記対応する端部と係合する
ことを特徴とする請求項１に記載のコネクタ。
【請求項３】
前記各金属部材は、
前記第１の係合部が形成され、前記一方方向に変位可能な第１の変位部と、
前記第２の係合部が形成され、前記他方方向に変位可能な第２の変位部と、
前記第１の変位部と前記第２の変位部とを連結する連結部と、を備え、
前記抜去方向に力が作用した場合に、前記第１の変位部の前記一方方向への変位に伴う前記第２の変位部の前記一方方向への移動が、前記相手コネクタの前記対応する端部に形成された係合部によって規制される
ことを特徴とする請求項２に記載のコネクタ。
【請求項４】
前記各金属部材において、前記第２の変位部は前記他方方向の両端に一対設けられる
ことを特徴とする請求項３に記載のコネクタ。
【請求項５】
前記第２の係合部は、
前記抜去方向に力が作用していない場合には、前記一方方向において、前記相手コネクタに形成された前記係合部との間に隙間を形成した状態で配置される
ことを特徴とする請求項３に記載のコネクタ。
【請求項６】
前記第２の係合部は、
前記抜去方向に力が作用してから前記第１の係合部の係合が解除されるまでに、前記一方方向において、前記相手コネクタに形成された前記係合部に係合する
ことを特徴とする請求項５に記載のコネクタ。
【請求項７】
前記各金属部材は、
前記相手コネクタの対応する金属部材に係合する
ことを特徴とする請求項１に記載のコネクタ。
【請求項８】
絶縁性の第１のハウジングと、前記第１のハウジングの一方方向を配列方向として前記第１のハウジングに配列された複数の導電性の第１のコンタクトと、前記一方方向における前記第１のハウジングの両端に配置される一対の第１の金属部材と、を有する第１のコネクタと、
絶縁性の第２のハウジングと、前記一方方向を配列方向として前記第２のハウジングに配列された複数の導電性の第２のコンタクトと、前記一方方向における前記第２のハウジングの両端に配置される一対の第２の金属部材と、を有する第２のコネクタと、を備え、
前記第１のコネクタと前記第２のコネクタとが嵌合し、前記各第１のコンタクトと前記各第２のコンタクトとが電気的に接続されるコネクタ装置であって、
前記一対の第１の金属部材のそれぞれは、
前記一対の第２の金属部材のうち対応する第２の金属部材に、前記一方方向で対向する第１の係合部と、
前記一対の第２の金属部材のうち対応する第２の金属部材に、前記第１のハウジングの他方方向で対向する第２の係合部と、を備え、
前記一対の第２の金属部材のそれぞれは、
前記一対の第１の金属部材のうち対応する第１の金属部材に前記一方方向で対向し、前記第１の係合部と前記一方方向で係合する第３の係合部と、
前記一対の第１の金属部材のうち対応する第１の金属部材に前記他方方向で対向し、前記第２の係合部と前記他方方向で係合する第４の係合部と、を備える
ことを特徴とするコネクタ装置。
【発明の詳細な説明】
【技術分野】
【０００１】
開示の実施形態は、コネクタおよびコネクタ装置に関する。
【背景技術】
【０００２】
従来、第１の基板の第１のコネクタと第２の基板の第２のコネクタとの嵌合状態を維持するために、第１の基板に実装された第１のコネクタの第１の金属部材と、第２の基板に実装された第２のコネクタの第２の金属部材とを係合させることが知られている（例えば、特許文献１参照）。
【先行技術文献】
【特許文献】
【０００３】
【特許文献１】特開２０１１−６０６５０号公報
【発明の概要】
【発明が解決しようとする課題】
【０００４】
しかしながら、上記第１のコネクタおよび第２のコネクタは、各コネクタの長手方向の端部に設けられたロック機構によって第１の金属部材と第２の金属部材とが長手方向で対向して係合しているのみである。そのため、意図しない外力の作用により、第１の金属部材と第２の金属部材との係合が解除され、第１のコネクタと第２のコネクタとの嵌合状態が解除されるおそれがある。
【０００５】
実施形態の一態様は、上記に鑑みてなされたものであって、相手コネクタとの嵌合状態の解除に要する抜去力を向上させることができるコネクタおよびコネクタ装置を提供することを目的とする。
【課題を解決するための手段】
【０００６】
実施形態の一態様に係るコネクタは、絶縁性のハウジングと、前記ハウジングの一方方向を配列方向として前記ハウジングに配列された複数の導電性のコンタクトと、前記一方方向における前記ハウジングの両端に配置される一対の金属部材と、を有し、相手コネクタと嵌合するコネクタであって、前記一対の金属部材のそれぞれは、前記相手コネクタの対応する端部に前記一方方向で対向し、前記対応する端部と前記一方方向で係合する第１の係合部と、前記相手コネクタの対応する端部に他方方向で対向し、前記対応する端部と前記他方方向で係合する第２の係合部と、を備える。
【発明の効果】
【０００７】
実施形態の一態様にかかるコネクタによれば、ハウジングの一方方向および他方方向において金属部材が相手コネクタと係合するので、相手コネクタとの嵌合状態の解除に要する抜去力を向上させることができる。
【図面の簡単な説明】
【０００８】
【図１】図１は、実施形態に係るコネクタ装置におけるプラグコネクタとレセプタクルコネクタとを示す図である。
【図２】図２は、図１に示すプラグコネクタとレセプタクルコネクタとが嵌合した状態を示す図である。
【図３】図３は、図１に示すレセプタクルコネクタの外観斜視図（その１）である。
【図４】図４は、図１に示すレセプタクルコネクタの外観斜視図（その２）である。
【図５】図５は、図１に示すレセプタクルコネクタの平面図である。
【図６】図６は、図５に示すVI−VI線に沿った断面図である。
【図７】図７は、実施形態に係るレセプタクルコネクタが有する第１のホールドダウンの外観斜視図（その１）である。
【図８】図８は、実施形態に係るレセプタクルコネクタが有する第１のホールドダウンの外観斜視図（その２）である。
【図９】図９は、図１に示すプラグコネクタの外観斜視図（その１）である。
【図１０】図１０は、図１に示すプラグコネクタの外観斜視図（その２）である。
【図１１】図１１は、図１に示すプラグコネクタの平面図である。
【図１２】図１２は、図１１におけるXII−XII線に沿った断面図である。
【図１３】図１３は、実施形態に係るプラグコネクタが有する第２のホールドダウンの外観斜視図（その１）である。
【図１４】図１４は、実施形態に係るプラグコネクタが有する第２のホールドダウンの外観斜視図（その２）である。
【図１５】図１５は、実施形態に係る各ホールドダウンの係合前の状態を示す斜視図である。
【図１６Ａ】図１６Ａは、各ホールドダウンの係合手順を説明する正面図（その１）である。
【図１６Ｂ】図１６Ｂは、各ホールドダウンの係合手順を説明する側面図（その１）である。
【図１７Ａ】図１７Ａは、各ホールドダウンの係合手順を説明する正面図（その２）である。
【図１７Ｂ】図１７Ｂは、各ホールドダウンの係合手順を説明する側面図（その２）である。
【図１８】図１８は、各ホールドダウンの係合手順を説明する断面図である。
【図１９Ａ】図１９Ａは、各ホールドダウンの係合状態を説明する断面図である。
【図１９Ｂ】図１９Ｂは、各ホールドダウンの係合状態を説明する正面図である。
【図１９Ｃ】図１９Ｃは、各ホールダウンの係合状態を説明する斜視図である。
【図１９Ｄ】図１９Ｄは、各ホールダウンの係合状態を説明する平面図である。
【図２０Ａ】図２０Ａは、抜去方向に力が作用した状態を説明する図である。
【図２０Ｂ】図２０Ｂは、抜去方向に力が作用した状態を説明する断面図（その１）である。
【図２０Ｃ】図２０Ｃは、抜去方向に力が作用した状態を説明する平面図（その１）である。
【図２１Ａ】図２１Ａは、抜去方向に力が作用した状態を説明する平面図（その２）である。
【図２１Ｂ】図２１Ｂは、抜去方向に力が作用した状態を説明する断面図（その２）である。
【発明を実施するための形態】
【０００９】
以下、添付図面を参照して、本願の開示するコネクタおよびコネクタ装置を説明する。なお、以下に示す実施形態によりこの発明が限定されるものではない。
【００１０】
＜１．コネクタ装置の概略＞
まず、図１および図２を参照して実施形態に係るコネクタ装置１の概略を説明する。図１に示すように、実施形態に係るコネクタ装置１は、レセプタクルコネクタ１０と、プラグコネクタ２０と、を有し、図２に示すように、レセプタクルコネクタ１０とプラグコネクタ２０とは嵌合して連結される。なお、理解を容易にするため、図１においては、プラグコネクタ２０および基板６０を裏表逆の状態で示している。また、図２においては、説明のためレセプタクルコネクタ１０およびプラグコネクタ２０のみを示している。
【００１１】
なお、以下においては、説明の便宜上、レセプタクルコネクタ１０およびプラグコネクタ２０の長手方向（Ｙ軸正負方向）を「コネクタ長手方向（一方方向の一例）」とする。また、レセプタクルコネクタ１０およびプラグコネクタ２０の短手方向（Ｘ軸正負方向）を「コネクタ短手方向（他方方向の一例）」とする。コネクタ短手方向は、コネクタ装置１の幅方向でもある。また、レセプタクルコネクタ１０に対してプラグコネクタ２０を差し込む方向（Ｚ軸負方向）を「下方向」とし、その逆方向である抜去方向（Ｚ軸正方向）を「上方向」とする。
【００１２】
レセプタクルコネクタ１０（コネクタの一例および第１のコネクタの一例）は、合成樹脂等の絶縁部材で形成される。レセプタクルコネクタ１０は、ハウジング１１（第１のハウジングの一例）を有する。ハウジング１１は、枠形状の壁部１１ａと、壁部１１ａにより囲まれた凹形状の内部領域１１ｂと有する。また、レセプタクルコネクタ１０は、ハウジング１１に配列された複数のコンタクト１２（第１のコンタクトの一例）と、コネクタ長手方向におけるハウジング１１の両端部に配置された一対のホールドダウン１３（金属部材の一例および第１の金属部材の一例）とを有する。そして、レセプタクルコネクタ１０は、基板５０の上面（主面）に実装される。
【００１３】
また、コンタクト１２は、コネクタ長手方向に沿って内部領域１１ｂに複数配置され、ハウジング１１からコネクタ短手方向に沿って延びる基板接続部１２ａをそれぞれ有する。そして、基板接続部１２ａと基板５０の上面に形成された不図示の配線パターンとが、例えば、半田付けによって電気的に接続される。
【００１４】
プラグコネクタ２０（相手コネクタの一例および第２のコネクタの一例）は、合成樹脂等の絶縁部材で形成される。プラグコネクタ２０は、ハウジング２１（第２のハウジングの一例）を有する。ハウジング２１は、レセプタクルコネクタ１０の内部領域１１ｂに挿入可能な凸形状の挿入部２１ａを有する。また、プラグコネクタ２０は、コネクタ長手方向を配列方向としてハウジング２１に配列された複数のコンタクト２２（第２のコンタクトの一例）と、コネクタ長手方向における挿入部２１ａの両端に設けられた一対のホールドダウン２３（第２の金属部材の一例）とを有する。そして、プラグコネクタ２０は、基板６０の下面（主面）に実装される。
【００１５】
また、コンタクト２２は、挿入部２１ａに配置され、ハウジング２１からコネクタ短手方向に沿って延びる基板接続部２２ａを有する。そして、基板接続部２２ａと基板６０の下面（主面）に形成された不図示の配線パターンとが、例えば、半田付けによって電気的に接続される。
【００１６】
レセプタクルコネクタ１０とプラグコネクタ２０とが嵌合状態にある場合には、各コンタクト１２がそれぞれ対応するコンタクト２２に接触して接続される。これにより、基板５０と基板６０とが電気的に接続される。
【００１７】
また、レセプタクルコネクタ１０とプラグコネクタ２０とが嵌合状態にある場合には、ホールドダウン１３とホールドダウン２３とがコネクタ長手方向およびコネクタ短手方向において係合する。そのため、例えば、レセプタクルコネクタ１０とプラグコネクタ２０とが嵌合状態の解除に要する力である抜去力を向上させることができる。以下、この点について詳しく説明する。
【００１８】
＜２．レセプタクルコネクタ＞
次に、図３〜図８を参照してレセプタクルコネクタ１０の構成を説明する。上述したように、レセプタクルコネクタ１０は、絶縁性のハウジング１１と、複数のコンタクト１２と、一対のホールドダウン１３とを有する。
【００１９】
ハウジング１１は、図３〜図５に示すように、コネクタ長手方向に延びる平面視で矩形形状に形成される。ハウジング１１は、枠形状の壁部１１ａと、壁部１１ａの枠内に隆起する芯部１１ｃとを有する。
【００２０】
また、ハウジング１１には、コネクタ長手方向の両端に、壁部１１ａおよび芯部１１ｃに囲まれた一対の凹部１１ｅが形成され、コネクタ長手方向に延びる壁部１１ａと芯部１１ｃとの間に一対の溝部１１ｆが形成される。そして、一対の凹部１１ｅおよび一対の溝部１１ｆで、プラグコネクタ２０が嵌合可能となる平面視でＯ字形状に凹んだ内部領域１１ｂが形成される。
【００２１】
また、ハウジング１１は、凹部１１ｅを形成する壁部１１ａ近傍で上方向（Ｚ軸正方向）に突出する一対の凸部１１ｇを有する。一対の凸部１１ｇは、コネクタ短手方向における凹部１１ｅの両端部に設けられる。凸部１１ｇと壁部１１ａとの間には、ホールドダウン１３の第２の変位部１３ｂが配置される。
【００２２】
また、図４に示すように、ハウジング１１は、一対の第１の床部１１ｈと、第２の床部１１ｉとを有する。第１の床部１１ｈは、基板５０に向かい合い、コネクタ長手方向における両端部に配置される。第２の床部１１ｉは、一対の第１の床部１１ｈ同士を接続する。
【００２３】
また、ハウジング１１には、コンタクト圧入部１１ｊがコネクタ長手方向に並んで形成される。コンタクト圧入部１１ｊは、コネクタ短手方向に二列配置される。そして、それぞれのコンタクト圧入部１１ｊには、コンタクト１２が下方から圧入される。これにより、コンタクト１２がコネクタ長手方向に沿って二列に並んで複数配置される。なお、図６に示すように、第２の床部１１ｉは、上側（Ｚ軸正方向）で芯部１１ｃと接続されている。なお、コンタクト１２は、インサート成形によりハウジング１１に埋め込まれてもよい。
【００２４】
コンタクト１２は、例えばベリリウム銅やリン青銅、チタン銅等の弾性を有する導電性の材料で構成される。コンタクト１２は、図６に示すように、基板接続部１２ａと、湾曲部１２ｂと、延伸部１２ｃと、折曲部１２ｄとを有する。
【００２５】
基板接続部１２ａは、コネクタ短手方向に沿って、ハウジング１１から突出しており、ハウジング１１の下面と面一に配置される。湾曲部１２ｂは、基板接続部１２ａから上方に向かって延び、Ｕ字状に折れ曲がっている。延伸部１２ｃは、湾曲部１２ｂから第２の床部１１ｉに向かってコネクタ短手方向に延びている。
【００２６】
折曲部１２ｄは、延伸部１２ｃから上方に向かって延び、Ｊ字形状に折れ曲がっている。そして、コンタクト１２では、湾曲部１２ｂの一部および折曲部１２ｄの一部が互いに突出している。コンタクト１２は、レセプタクルコネクタ１０とプラグコネクタ２０との嵌合時に、湾曲部１２ｂと折曲部１２ｄとによってプラグコネクタ２０のコンタクト２２（図１参照）を挟み込むことで、プラグコネクタ２０のコンタクト２２と電気的に接続される。
【００２７】
コンタクト１２は、レセプタクルコネクタ１０が基板５０（図１参照）に実装される際に、基板接続部１２ａが基板５０（図１参照）の上面に形成された配線パターンと当接して、例えば、半田付けによって、コンタクト１２が配線パターンと電気的に接続される。
【００２８】
ホールドダウン１３は、図３に示すように、コネクタ長手方向におけるハウジング１１の両端に一対配置される。ホールドダウン１３は、平面視でＥ字形状を有し、例えば、銅板等の金属板が折り曲げられて形成される。ホールドダウン１３は、ハウジング１１に圧入される。なお、ホールドダウン１３は、インサート成形により、ハウジング１１に埋め込まれてもよい。
【００２９】
ホールドダウン１３は、図７および図８に示すように第１の変位部１３ａと、一対の第２の変位部１３ｂと、基板接続部１３ｃとを有する。
【００３０】
第１の変位部１３ａは、コネクタ短手方向に延びて形成される。第１の変位部１３ａは、コネクタ長手方向の両端部に配置される壁部１１ａ（図３参照）と対向して配置される。第１の変位部１３ａには、第１の係合部１３ｄが形成される。第１の係合部１３ｄは、第１の変位部１３ａの中央部に形成され、コネクタ長手方向に沿って貫通する孔である。
【００３１】
第１の変位部１３ａの上端には、屈曲部１３ｅが形成される。屈曲部１３ｅは、壁部１１ａ（図３参照）の上面に沿って曲げられて形成される。
【００３２】
第２の変位部１３ｂは、コネクタ長手方向に延びて形成される。第２の変位部１３ｂは、コネクタ短手方向の両端に配置される壁部１１ａ（図３参照）と対向して配置される。第２の変位部１３ｂは、第１の変位部１３ａに対してコネクタ短手方向の両側に配置され、向かい合って一対配置される。第２の変位部１３ｂは、連結部１３ｉを介して第１の変位部１３ａに連結される。
【００３３】
第２の変位部１３ｂは、第２の係合部１３ｆを有する。第２の係合部１３ｆは、コネクタ長手方向におけるハウジング１１の芯部１１ｃ側の端部を、対向する第２の変位部１３ｂに向けて曲げることで形成される。第２の係合部１３ｆは、コネクタ短手方向に延びて形成される。
【００３４】
第２の係合部１３ｆは、係合爪１３ｇを有する。係合爪１３ｇは、互いに近づく方向に突出する。係合爪１３ｇは、コネクタ短手方向に延びて形成される。係合爪１３ｇは、上部に曲面部１３ｈを有する。
【００３５】
基板接続部１３ｃは、第１の係合部１３ｄの下端から、ハウジング１１の芯部１１ｃ（図３参照）に向けて突出する。基板接続部１３ｃは、ハウジング１１（図４参照）の下面に沿って曲げられて形成される。基板接続部１３ｃは、コネクタ短手方向に並んで２つ形成されるが、基板接続部１３ｃは一つまたは三つ以上であってもよい。
【００３６】
ホールドダウン１３は、ハウジング１１の凹部１１ｅに収容されるように、上方から挿入される。ホールドダウン１３の基板接続部１３ｃは、ハウジング１１の第１の床部１１ｈに設けられる孔１１ｋ（図４参照）に挿入され、第１の床部１１ｈの底面に露出する。そして、ハウジング１１の底面に露出する基板接続部１３ｃは、例えば、半田付けによって基板５０（図１参照）に電気的に接続される。また、ホールドダウン１３の第２の変位部１３ｂは、ハウジング１１の壁部１１ａと凸部１１ｇ（図３参照）との間に挿入される。
【００３７】
なお、ホールドダウン１３がハウジング１１の凹部１１ｅに収容された状態では、第１の変位部１３ａがコネクタ長手方向に弾性変位可能となるように、第１の変位部１３ａと壁部１１ａとの間に隙間が形成される。また、第２の変位部１３ｂがコネクタ短手方向に弾性変位可能となるように、第２の変位部１３ｂと壁部１１ａとの間に隙間が形成される。
【００３８】
＜３．プラグコネクタ＞
次に、図９〜図１４を参照してプラグコネクタ２０の構成を説明する。上述したように、プラグコネクタ２０は、絶縁性のハウジング２１と、複数のコンタクト２２と、一対のホールドダウン２３とを有する。
【００３９】
ハウジング２１は、図９〜図１１に示すように、コネクタ長手方向に延びる矩形形状に形成される。ハウジング２１は、板部２１ｂと、一対の壁部２１ｃと、一対の凸部２１ｄとを有する。
【００４０】
板部２１ｂは、矩形形状であり、ハウジング２１の上部に配置されている。壁部２１ｃは、コネクタ短手方向における板部２１ｂの両端から下方（Ｚ軸負方向）に突出する。壁部２１ｃは、コネクタ長手方向に延びて形成される。
【００４１】
凸部２１ｄは、コネクタ長手方向における板部２１ｂの両端から下方（Ｚ軸負方向）に突出する。凸部２１ｄは、コネクタ短手方向に延びて形成される。そして、一対の壁部２１ｃおよび一対の凸部２１ｄは、Ｏ字形状に突出する挿入部２１ａを形成する。挿入部２１ａは、レセプタクルコネクタ１０の内部領域１１ｂ（図３参照）に挿入される。
【００４２】
壁部２１ｃには、導電性の部材で構成されるコンタクト２２が、例えば、インサート成形により複数埋め込まれる。コンタクト２２は、一部が壁部２１ｃに埋め込まれ、コネクタ長手方向に所定間隔を空けて配列される。
【００４３】
コンタクト２２は、図１２に示すように、基板接続部２２ａと、湾曲部２２ｂとを有する。基板接続部２２ａは、コネクタ短手方向に沿って、ハウジング２１から突出しており、ハウジング２１の上面と面一に配置される。基板接続部２２ａは、基板６０（図１参照）の下面に形成された配線パターンに例えば半田付けされる。
【００４４】
湾曲部２２ｂは、基板接続部２２ａから下方（Ｚ軸負方向）に向かって延び、Ｊ字状に折れ曲がっている。湾曲部２２ｂは、ハウジング２１に埋め込まれる。なお、湾曲部２２ｂの一部は、ハウジング２１の壁部２１ｃから露出する。そして、挿入部２１ａがレセプタクルコネクタ１０の内部領域１１ｂ（図１参照）に挿入されると、湾曲部２２ｂとレセプタクルコネクタ１０のコンタクト１２（図１参照）とが接触して、プラグコネクタ２０のコンタクト２２と電気的に接続される。
【００４５】
ホールドダウン２３は、コネクタ長手方向におけるハウジング２１の両端に一対配置される。ホールドダウン２３は、ハウジング２１の凸部２１ｄに、例えば、インサート成形により埋め込まれている。ホールドダウン２３は、例えば、ベリリウム銅やチタン銅の金属板が折り曲げられて形成される。
【００４６】
ホールドダウン２３は、図１３および図１４に示すように、底面部２３ａと、直立部２３ｂと、一対の側壁部２３ｃとを有する。底面部２３ａは、ハウジング２１における凸部２１ｄ（図１０参照）の下面に沿って配置される。
【００４７】
直立部２３ｂは、コネクタ長手方向における底面部２３ａの端から上方向（Ｚ軸正方向）に延びて形成される。直立部２３ｂには、第３の係合部２３ｄが形成される。第３の係合部２３ｄは、直立部２３ｂの中央部に形成され、直立部２３ｂの外側壁２３ｊからコネクタ長手方向に沿って突出する。
【００４８】
側壁部２３ｃは、コネクタ短手方向における底面部２３ａの端から上方向（Ｚ軸正方向）に延びて形成される。側壁部２３ｃは、コネクタ短手方向で向かい合い一対配置される。側壁部２３ｃの外側壁２３ｅには、凹部２３ｆが形成される。
【００４９】
凹部２３ｆは、側壁部２３ｃの中央部よりも上方であり、かつ側壁部２３ｃの中央部よりもコンタクト２２側である所定領域に形成される。これにより、側壁部２３ｃの外側壁２３ｅと凹部２３ｆとの間に、上下方向に延びる第１の段部２３ｇと、コネクタ長手方向に延びる第２の段部２３ｈとが形成される。第１の段部２３ｇおよび第２の段部２３ｈは、第２の係合部１３ｆが係合する第４の係合部２３ｉを構成する。
【００５０】
＜４．ホールドダウンの係合＞
次に、図１５〜図１９Ｄを参照して、コネクタ装置１において、レセプタクルコネクタ１０（図１参照）にプラグコネクタ２０（図１参照）を嵌合する際のホールドダウン１３およびホールドダウン２３の係合状態について説明する。ここでは、ホールドダウン１３およびホールドダウン２３以外の構成を省略して説明する場合がある。
【００５１】
レセプタクルコネクタ１０にプラグコネクタ２０を嵌合する際には、図１５に示すように、レセプタクルコネクタ１０のホールドダウン１３に、プラグコネクタ２０のホールドダウン２３が上方（Ｚ軸正方向）から挿入される。なお、図１５以降の図では、図１５におけるＡ矢視図を正面図とし、図１５におけるＢ矢視図を側面図とする。また、コネクタ長手方向および上下方向を含む面における断面の図を断面図とする。
【００５２】
ホールドダウン１３に対し、ホールドダウン２３を降下させると、図１６Ａに示すように、まず、ホールドダウン２３の側壁部２３ｃの下端が、ホールドダウン１３の係合爪１３ｇの曲面部１３ｈに当接する。この状態では、図１６Ｂに示すように、ホールドダウン２３の直立部２３ｂに形成された第３の係合部２３ｄは、ホールドダウン１３の第１の変位部１３ａには当接していない。
【００５３】
係合爪１３ｇがホールドダウン２３の側壁部２３ｃの外側壁２３ｅに当接した状態で、さらにホールドダウン２３を下降させると、図１７Ａにおいて矢印で示すように、第２の変位部１３ｂが、コネクタ短手方向に押されて弾性変位する。また、図１７Ｂに示すように、第３の係合部２３ｄが、第１の変位部１３ａの上端に当接する。
【００５４】
さらにホールドダウン２３を下降させると、図１８において矢印で示すように、第１の変位部１３ａが、第３の係合部２３ｄによってコネクタ長手方向に押されて弾性変位する。また、第２の変位部１３ｂは、第１の変位部１３ａの弾性変位に伴い、第１の変位部１３ａとともに弾性変位する。具体的には、第１の変位部１３ａおよび第２の変位部１３ｂは、基板５０（図１参照）と基板接続部１３ｃとの接続箇所を中心に回動することで弾性変位する。なお、第２の変位部１３ｂは、係合爪１３ｇがホールドダウン２３の側壁部２３ｃの外側壁２３ｅに当接した状態でコネクタ長手方向に弾性変位する。
【００５５】
さらに、ホールドダウン２３を下降させると、図１９Ａに示すように、第３の係合部２３ｄが、第１の係合部１３ｄに挿入され、第１の変位部１３ａおよび第２の変位部１３ｂは、元の状態に戻る。具体的には、第１の変位部１３ａおよび第２の変位部１３ｂは、基板５０（図１参照）と基板接続部１３ｃとの接続箇所を中心に回動する。このように、第１の変位部１３ａは、コネクタ長手方向でホールドダウン２３の直立部２３ｂと対向し、第１の係合部１３ｄに第３の係合部２３ｄが係合する。すなわち、第１の係合部１３ｄは、コネクタ長手方向でホールドダウン２３の対応する第３の係合部２３ｄ（一方方向で対応する端部の一例）と対向し、第３の係合部２３ｄと係合する。
【００５６】
また、第２の変位部１３ｂは、図１９Ｂに示すように、第２の変位部１３ｂの係合爪１３ｇの一部が、ホールドダウン２３の外側壁２３ｅの凹部２３ｆに挿入される。このように、第２の変位部１３ｂは、ホールドダウン２３の側壁部２３ｃと対向し、第２の係合部１３ｆは、第４の係合部２３ｉに係合する。すなわち、第２の係合部１３ｆは、コネクタ短手方向でホールドダウン２３の対応する第４の係合部２３ｉ（他方方向で対応する端部の一例）と対向し、第４の係合部２３ｉと係合する。
【００５７】
コネクタ装置１において、レセプタクルコネクタ１０（図１参照）にプラグコネクタ２０（図１参照）を嵌合する際には、ホールドダウン２３を下降させることで、第１の変位部１３ａおよび第２の変位部１３ｂが弾性変位し、ホールドダウン１３とホールドダウン２３とが係合する。また、第２の変位部１３ｂの係合爪１３ｇの上部には、曲面部１３ｈが形成されており、第２の変位部１３ｂは、曲面部１３ｈがホールドダウン２３の側壁部２３ｃに当接しつつ、コネクタ短手方向に弾性変位する。そのため、レセプタクルコネクタ１０にプラグコネクタ２０へ挿入するために要する力である嵌合挿入力の上昇を抑えて、プラグコネクタ２０をレセプタクルコネクタ１０に嵌合することができる。
【００５８】
このようにして、図１９Ａ〜図１９Ｄに示すように、ホールドダウン１３とホールドダウン２３とが係合する。なお、ホールドダウン１３の第２の係合部１３ｆと、ホールドダウン２３の第４の係合部２３ｉとの間には、図１９Ｄに示すように、コネクタ長手方向において、隙間が形成される。
【００５９】
上記するように、ホールドダウン１３とホールドダウン２３とが係合した状態で、図２０Ａにおいて矢印で示すように、レセプタクルコネクタ１０のホールドダウン１３に対してプラグコネクタ２０のホールドダウン２３の抜去方向（Ｚ軸正方向）に力が作用すると、図２０Ｂに示すように、第３の係合部２３ｄが第１の係合部１３ｄの上端に当接する。そして、さらに抜去方向に力が作用すると、図２０Ｂおよび図２０Ｃにおいて矢印で示すように、第１の変位部１３ａおよび第２の変位部１３ｂには、コネクタ長手方向に向けた力が発生する。具体的には、基板接続部１３ｃを中心に第１の変位部１３ａおよび第２の変位部１３ｂを回動させる力が発生する。
【００６０】
第１の変位部１３ａおよび第２の変位部１３ｂにコネクタ長手方向に向けた力が発生し、第１の変位部１３ａおよび第２の変位部１３ｂがコネクタ長手方向に弾性変位すると、図２１Ａおよび図２１Ｂに示すように、第２の係合部１３ｆの係合爪１３ｇが第４の係合部２３ｉに当接する。そのため、第１の変位部１３ａおよび第２の変位部１３ｂのコネクタ長手方向への移動が、ホールドダウン２３によって規制される。すなわち、第１の変位部１３ａのコネクタ長手方向への変位に伴う第２の変位部１３ｂのコネクタ長手方向への移動が、ホールドダウン２３の第４の係合部２３ｉによって規制される。第２の係合部１３ｆの係合爪１３ｇは、抜去方向に力が作用してから第１の係合部１３ｄと第３の係合部２３ｄとの係合が解除されるまでに、第４の係合部２３ｉに係合する。
【００６１】
そのため、第１の係合部１３ｄと第３の係合部２３ｄとの係合を解除するために必要な力には、係合爪１３ｇと第４の係合部２３ｉとの係合を解除するための力が含まれることになるため、抜去力を向上させることができる。
【００６２】
なお、第１の係合部１３ｄと第３の係合部２３ｄとの係合が解除される直前に、係合爪１３ｇが第４の係合部２３ｉに当接するように、係合爪１３ｇと第４の係合部２３ｉとの間の隙間が形成されてもよい。第１の係合部１３ｄと第３の係合部２３ｄとの係合が解除される直前が、抜去方向へ要する力が最も大きくなる。かかる状態において、係合爪１３ｇと第４の係合部２３ｉとが係合しているため、抜去力を向上させることができる。
【００６３】
このように、係合爪１３ｇと第４の係合部２３ｉとの係合によって、第１の係合部１３ｄと第３の係合部２３ｄとの係合が解除されることが抑制され、ホールドダウン２３の抜け、すなわちレセプタクルコネクタ１０に対するプラグコネクタ２０の抜けが抑制される。なお、第２の係合部１３ｆと第４の係合部２３ｉとは、上下方向において係合するので、レセプタクルコネクタ１０に対してプラグコネクタ２０の抜けがさらに抑制される。
【００６４】
＜５．コネクタ装置１の他の構成＞
以上、本発明の実施形態について説明したが、第１の係合部１３ｄ〜第４の係合部２３ｉの形状は、上述の実施形態に限定されない。変形例に係るコネクタ装置１は、例えば、第１の係合部１３ｄを凹形状としてもよい。また、変形例に係るコネクタ装置１は、例えば、第１の変位部１３ａの第１の係合部１３ｄを第３の係合部２３ｄに向けて突出させ、第３の係合部２３ｄを孔としてもよい。また、変形例に係るコネクタ装置１は、第１の係合部１３ｄを凹部とし、第３の係合部２３ｄの凸部としてもよい。また、変形例に係るコネクタ装置１は、プラグコネクタ２０の直立部２３ｂおよび側壁部２３ｃを変位可能としてもよい。また、変形例に係るコネクタ装置１は、第２の係合部１３ｆおよび第４の係合部２３ｉを、コネクタ短手方向の一方にのみ設けてもよい。
【００６５】
また、変形例に係るコネクタ装置１は、コネクタ短手方向に第１の係合部１３ｄおよび第３の係合部２３ｄを配置し、コネクタ長手方向に第２の係合部１３ｆおよび第４の係合部２３ｉを配置してもよい。例えば、変形例に係るコネクタ装置１は、コンタクト１２、２２の数が少なく、コンタクト１２の配列方向の長さが短いコネクタ装置にも適用することができる。また、変形例に係るコネクタ装置１は、平面視において、縦方向（Ｙ軸方向）および幅方向（Ｘ軸方向）の長さが等しい正方形のコネクタ装置にも適用することができる。
【００６６】
以上のように、実施形態に係るレセプタクルコネクタ１０の一対のホールドダウン１３のそれぞれは、コネクタ長手方向でホールドダウン２３に対向する第１の係合部１３ｄと、コネクタ短手方向でホールドダウン２３に対向する第２の係合部１３ｆとを有する。また、実施形態に係るプラグコネクタ２０の一対のホールドダウン２３のそれぞれは、コネクタ長手方向で第１の係合部１３ｄに係合する第３の係合部２３ｄと、コネクタ短手方向で第２の係合部１３ｆに係合する第４の係合部２３ｉとを有する。これにより、ホールドダウン１３およびホールドダウン２３は、コネクタ長手方向およびコネクタ短手方向において係合する。そのため、レセプタクルコネクタ１０とプラグコネクタ２０との嵌合状態の解除に要する抜去力を向上させることができる。
【００６７】
ホールドダウン１３の第１の係合部１３ｄおよび第２の係合部１３ｆは、抜去方向においてホールドダウン２３の第３の係合部２３ｄおよび第４の係合部２３ｉに係合する。これにより、レセプタクルコネクタ１０とプラグコネクタ２０との嵌合状態の解除に要する抜去力を向上させることができる。
【００６８】
ホールドダウン１３は、コネクタ長手方向に変位可能な第１の変位部１３ａと、コネクタ短手方向に変位可能な第２の変位部１３ｂと、第１の変位部１３ａと第２の変位部１３ｂとを連結する連結部１３ｉとを有する。ホールドダウン１３は、意図しない抜去方向に力が作用した場合に、第２の変位部１３ｂのコネクタ長手方向への移動が、ホールドダウン２３の第４の係合部２３ｉによって規制される。そのため、第１の係合部１３ｄのコネクタ長手方向への弾性変位が規制され、第１の係合部１３ｄとホールドダウン２３の第３の係合部２３ｄとの係合が解除されることを抑制することができる。そのため、レセプタクルコネクタ１０に対するプラグコネクタ２０の抜けを抑制することができ、レセプタクルコネクタ１０とプラグコネクタ２０との嵌合状態の解除に要する抜去力を向上させることができる。
【００６９】
第２の変位部１３ｂは、コネクタ短手方向の両端に一対設けられる。これにより、例えば、ホールドダウン１３のコネクタ長手方向への弾性変位がより規制され、第１の係合部１３ｄとホールドダウン２３の第３の係合部２３ｄとの係合が解除されることをより抑制することができる。そのため、レセプタクルコネクタ１０とプラグコネクタ２０との嵌合状態の解除に要する抜去力を向上させることができる。
【００７０】
第２の係合部１３ｆは、抜去方向に力が作用していない場合には、第４の係合部２３ｉとの間に隙間を形成した状態で配置される。そして、第２の係合部１３ｆは、抜去方向に力が作用してから第１の係合部１３ｄの係合が解除されるまでに、第４の係合部２３ｉに係合する。
【００７１】
これにより、第２の係合部１３ｆがコネクタ長手方向において第４の係合部２３ｉに係合する場合と比較して、第２の係合部１３ｆがコネクタ短手方向に弾性変位することを抑制することができる。そのため、第２の係合部１３ｆと第４の係合部２３ｉとの係合が解除されることを抑制することができる。また、第１の係合部１３ｄと第３の係合部２３ｄとの係合が解除される前に、コネクタ長手方向における第２の係合部１３ｆと第４の係合部２３ｉとの係合が解除されることを抑制することができる。
【００７２】
そのため、第１の係合部１３ｄと第３の係合部２３ｄとの係合が解除されることをより抑制することができる。従って、レセプタクルコネクタ１０とプラグコネクタ２０との嵌合状態の解除に要する抜去力を向上させることができる。
【００７３】
ホールドダウン１３およびホールドダウン２３は、金属部材によって構成され、係合する。これにより、挿抜方向に力が作用した場合に、各ホールドダウン１３、２３の強度が強くなり、レセプタクルコネクタ１０とプラグコネクタ２０との嵌合状態の解除に要する抜去力を向上させることができる。
【００７４】
さらなる効果や変形例は、当業者によって容易に導き出すことができる。このため、本発明のより広範な態様は、以上のように表しかつ記述した特定の詳細および代表的な実施形態に限定されるものではない。従って、添付の特許請求の範囲およびその均等物によって定義される総括的な発明の概念の精神または範囲から逸脱することなく、様々な変更が可能である。
【符号の説明】
【００７５】
１      コネクタ装置
１０    レセプタクルコネクタ（コネクタ、第１のコネクタ）
１１    ハウジング（第１のハウジング）
１２    コンタクト（第１のコンタクト）
１３    ホールドダウン（金属部材、第１の金属部材）
１３ａ  第１の変位部
１３ｂ  第２の変位部
１３ｄ  第１の係合部
１３ｆ  第２の係合部
１３ｇ  係合爪
１３ｉ  連結部
２０    プラグコネクタ（相手コネクタ、第２のコネクタ）
２１    ハウジング（第２のハウジング）
２２    コンタクト（第２のコンタクト）
２３    ホールドダウン（第２の金属部材）
２３ｄ  第３の係合部
２３ｇ  第１の段部
２３ｈ  第２の段部
２３ｉ  第４の係合部
５０    基板
６０    基板
【図１】
2019114355.tif 000003
【図２】
2019114355.tif 000004
【図３】
2019114355.tif 000005
【図４】
2019114355.tif 000006
【図５】
2019114355.tif 000007
【図６】
2019114355.tif 000008
【図７】
2019114355.tif 000009
【図８】
2019114355.tif 000010
【図９】
2019114355.tif 000011
【図１０】
2019114355.tif 000012
【図１１】
2019114355.tif 000013
【図１２】
2019114355.tif 000014
【図１３】
2019114355.tif 000015
【図１４】
2019114355.tif 000016
【図１５】
2019114355.tif 000017
【図１６Ａ】
2019114355.tif 000018
【図１６Ｂ】
2019114355.tif 000019
【図１７Ａ】
2019114355.tif 000020
【図１７Ｂ】
2019114355.tif 000021
【図１８】
2019114355.tif 000022
【図１９Ａ】
2019114355.tif 000023
【図１９Ｂ】
2019114355.tif 000024
【図１９Ｃ】
2019114355.tif 000025
【図１９Ｄ】
2019114355.tif 000026
【図２０Ａ】
2019114355.tif 000027
【図２０Ｂ】
2019114355.tif 000028
【図２０Ｃ】
2019114355.tif 000029
【図２１Ａ】
2019114355.tif 000030
【図２１Ｂ】
2019114355.tif 000031